(57)【要約】【課題】  あらかじめ行う簡単な設定操作によって、情報記録再生装置の再生状態を表示する表示装置の寿命を長くする、また消費電力を削減することを課題とする。【解決手段】  上記の課題を解決するために、外部から入力される記録情報を常時記録するハードディスク（３ａ）と、ハードディスク（３ａ）に前記記録情報が記録されている間に、前記記録情報またはハードディスク（３ａ）に記録された記録済み情報の少なくともいずれか一方の情報を再生するＨＤドライブ装置（３）と、ＨＤドライブ装置（３）の再生を開始させるために用いられる入力部（７）またはリモコン部（５）と、入力部（７）またはリモコン部（５）の再生を終了させるために用いられる入力部（７）またはリモコン部（５）と、ＨＤドライブ装置（３）の再生状態を表示するＦＬディスプレイ（１４）と、入力部（７）またはリモコン部（５）による再生開始から入力部（７）またはリモコン部（５）による再生終了までの間、ＦＬディスプレイ（１４）の輝度を上げる制御手段と、を備えることを特徴とする。【選択図】  図１
2005109953.tif 000002
【特許請求の範囲】
【請求項１】
外部から入力される記録情報を常時記録する記録媒体と、
前記記録媒体に前記記録情報が記録されている間に、前記記録情報または前記記録媒体に記録された記録済み情報の少なくともいずれか一方の情報を再生する再生手段と、
前記再生手段の再生を開始させるために用いられる再生開始手段と、
前記再生手段の再生状態を表示する再生表示手段と、
前記再生開始手段による再生開始時に前記再生表示手段の輝度を上げる制御手段と、
を備えることを特徴とする情報記録再生装置。
【請求項２】
請求項１に記載の情報記録再生装置において、
前記再生手段の再生を終了させるために用いられる再生終了手段をさらに備え、
前記再生終了手段による再生終了時に前記再生表示手段の輝度を下げる
ことを特徴とする情報記録再生装置。
【請求項３】
請求項１に記載の情報記録再生装置において、
前記再生手段における再生処理の開始からの時間を計時するタイマー手段をさらに備え、
前記制御手段は、前記再生開始時点からあらかじめ設定された一定時間経過後に、前記再生表示手段の輝度を下げる
ことを特徴とする情報記録再生装置。
【請求項４】
請求項１乃至３のいずれか一項に記載の情報記録再生装置において、
前記再生手段における再生処理を一次停止させるために用いられる一次停止手段を更に備え、
前記制御手段は、前記一次停止手段によって前記再生処理が一次停止される場合に、前記再生表示手段の輝度を下げることを特徴とする情報再生装置。
【請求項５】
請求項４に記載の情報記録再生装置において、
前記制御手段は、前記一次停止手段によって再生が一次停止した後、予め設定された所定の時間が経過した場合に、前記再生表示手段の輝度を下げることを特徴とする情報記録再生装置。
【請求項６】
請求項１乃至５のいずれか一項に記載の情報記録再生装置において、
前記制御手段は、予め設定された所定の時刻になった時に前記再生表示手段の輝度を上げ、予め設定された他の所定の時刻になった時に前記再生表示手段の輝度を下げることを特徴とする情報記録再生装置。
【請求項７】
外部から入力される記録情報を常時記録する記録媒体に当該記録情報が記録されている間に、前記記録情報または前記記録媒体に記録された記録済み情報の少なくともいずれか一方の情報を再生する再生手段と、当該再生手段の再生状態を表示する再生表示手段を備える情報記録再生装置において実行される情報記録再生方法において、
前記再生手段の再生を開始させる再生開始工程と、
前記再生開始工程後の再生開始時に前記再生表示手段の輝度を上げる制御工程と、
を備えることを特徴とする情報記録再生方法。
【請求項８】
情報記録装置に含まれるコンピュータを、
外部から入力される記録情報を常時記録する記録媒体に当該記録情報が記録されている間に、前記記録情報または前記記録媒体に記録された記録済み情報の少なくともいずれか一方の情報を再生する再生手段、
前記再生手段の再生を開始させるために用いられる再生開始手段、
前記再生手段の再生状態を表示する再生表示手段、及び、
前記再生手段による再生開始時に前記再生表示手段の輝度を上げる制御手段、
として機能させることを特徴とする情報記録再生用プログラム。
【請求項９】
請求項８に記載の情報記録用プログラムが前記コンピュータで読取可能に記録されていることを特徴とする情報記録媒体。
【発明の詳細な説明】
【技術分野】
【０００１】
本発明は、情報記録装置、情報記録方法、情報記録用プログラム及び当該情報記録用プログラムを記録した情報記録媒体の技術分野に属し、より詳細には、例えば放送電波を介して取得したテレビジョン放送の番組を光ディスク又はハードディスク等の記録媒体に記録する情報記録装置及び情報記録方法、並びに当該情報記録のための情報記録用プログラム及び当該情報記録用プログラムを記録した情報記録媒体の技術分野に属する。
【背景技術】
【０００２】
従来から、放送番組等の情報を、２４時間連続していわゆる情報記録再生装置等に装填されたＨＤ（ハードディスク）等に録画等することが行われている。
【０００３】
使用者は、いつでも当該情報記録再生装置に接続されたＣＲＴ（Cathode Ray Tube）を通じて録画された放送番組等の情報を視聴することが可能となっている。
【０００４】
ここで、当該従来の情報記録再生装置等においては、２４時間連続して録画・再生を可能としていることにより、誤操作による録画の中断を防止するために電源スイッチを設けない構成となっている。
【発明の開示】
【発明が解決しようとする課題】
【０００５】
しかしながら、上述してきた構成を備える従来の情報記録再生装置等においては、当該情報記録再生装置等における表示部には、録画処理が２４時間継続されていることに起因して使用者が必要としていない情報が２４時間表示されたままの状態になっていた。その結果、表示部の寿命が短くなる、また消費電力を不必要に多くするなどの不都合な点があった。
【０００６】
そこで、本願は、上記の各問題点に鑑みて為されたものであり、その課題の一例は、表示部の寿命を長くする、また消費電力を削減することが可能な情報記録装置及び情報記録方法並びに当該情報記録のための情報記録用プログラム及び当該情報記録用プログラムを記録した情報記録媒体を提供することにある。
【課題を解決するための手段】
【０００７】
上記の課題を解決するために、本発明の１つの観点では、外部から入力される記録情報を常時記録する記録媒体と、前記記録媒体に前記記録情報が記録されている間に、前記記録情報または前記記録媒体に記録された記録済み情報の少なくともいずれか一方の情報を再生する再生手段と、前記再生手段の再生を開始させるために用いられる再生開始手段と、前記再生手段の再生状態を表示する再生表示手段と、前記再生開始手段による再生開始時に前記再生表示手段の輝度を上げる制御手段と、を備える。
【０００８】
上記の課題を解決するために、本発明の他の観点では、外部から入力される記録情報を常時記録する記録媒体に当該記録情報が記録されている間に、前記記録情報または前記記録媒体に記録された記録済み情報の少なくともいずれか一方の情報を再生する再生手段と、当該再生手段の再生状態を表示する再生表示手段を備える情報記録再生装置において実行される情報記録再生方法において、前記再生手段の再生を開始させる再生開始工程と、前記再生開始工程後の再生開始時に前記再生表示手段の輝度を上げる制御工程と、を備える。
【０００９】
上記の課題を解決するために、本発明の他の観点では、情報記録装置に含まれるコンピュータを、外部から入力される記録情報を常時記録する記録媒体に当該記録情報が記録されている間に、前記記録情報または前記記録媒体に記録された記録済み情報の少なくともいずれか一方の情報を再生する再生手段、前記再生手段の再生を開始させるために用いられる再生開始手段、前記再生手段の再生状態を表示する再生表示手段、及び、前記再生手段による再生開始時に前記再生表示手段の輝度を上げる制御手段、として機能させる。
【００１０】
上記の課題を解決するために、本発明の他の観点では、情報記録再生用プログラムが前記コンピュータで読取可能に記録されている。
【発明を実施するための最良の形態】
【００１１】
次に、本発明を実施するための最良の形態について、図面に基づいて説明する。なお、以下の実施形態は、放送電波を介して受信した放送番組としての情報を一時的にハードディスクに記録すると共に、その後に当該情報をＤＶＤ（Digital Versatile Disc）に転送して記録する情報記録再生装置に対して本願を適用した場合の実施の形態である。
【００１２】
（Ｉ）全体構成及び動作
始めに、実施形態に係る情報記録再生装置の全体構成について、図１を用いて説明する。なお、図１は、実施形態に係る情報記録再生装置の概要構成を示すブロック図である。
【００１３】
図１に示すように、実施形態に係る情報記録再生装置Ｒは、入力インターフェース部１と、アンテナ等により入力された入力信号が入力される受信部２と、内蔵される一時記録媒体としてのハードディスク３ａに対して情報の記録及び再生が可能なＨＤドライブ装置３と、装填されている記録媒体としてのＤＶＤ４ａに対して情報の記録及び再生が可能なＤＶＤドライブ装置４と、出力インターフェース部６と、入力手段としての入力部７と、制御手段としてのマイコン部８と、メモリ部９と、タイマー部１０と、ＵＳＢ（Universal Serial Bus）インターフェース部１１と、電話回線インターフェース部１２と、リモコンインターフェース部１３と、ＦＬ（Fluorescence Light）ディスプレイ部１４と、リモコン部５と、により構成されている。
【００１４】
次に、全体動作を説明する。
【００１５】
実施形態の情報記録再生装置Ｒにおいては、放送電波を介して受信した放送番組等の情報（以下、当該情報を、適宜番組と称する）を受信し、これを上記ハードディスク３ａ又はＤＶＤ４ａのいずれか一方に記録すると共に、当該記録した番組を当該いずれか一方から検出して再生し、再生状態をＦＬディスプレイ又は図示しないスピーカに出力することが可能とされている。
【００１６】
そこで、先ず、受信した番組をハードディスク３ａに記録する場合の全体動作について説明する。
【００１７】
受信すべき番組を搬送する放送電波はアンテナＡＮＴにより受信され、受信部２において復調等の処理が施された後に受信信号Ｓdtとして入力インターフェース部１へ出力される。
【００１８】
次に、入力インターフェース部１は、上記受信信号Ｓdtに対して予め設定されている入力インターフェース処理を施し、処理受信信号Ｓdiを生成する。
【００１９】
そして、ＨＤドライブ装置３内の図示しない記録部は、当該処理受信信号Ｓdiをハードディスク３ａに記録する。これにより、受信した番組がハードディスク３ａに記録されることとなる。
【００２０】
次に、受信した番組をＤＶＤ４ａに記録する場合の全体動作について説明する。
【００２１】
受信した番組をＤＶＤ４ａに記録する場合には、先ず、受信部２及び入力インターフェース部１において、上述した受信した番組をハードディスク３ａに記録する場合と同様の処理を実行し、生成された信号を、当該ＤＶＤドライブ装置４へ出力する。
【００２２】
そして、ＤＶＤドライブ装置４内の図示しない記録部は、マイコン部８からの制御信号に基づいて、当該生成された信号をＤＶＤ４ａに記録する。これにより、受信した番組がＤＶＤ４ａに記録されることとなる。
【００２３】
次に、ハードディスク３ａに記録されている情報を再生して出力する場合の全体動作について説明する。ハードディスク３ａに記録されている情報を再生して出力する場合には、始めに、ＨＤドライブ装置３内の図示しない再生部が、マイコン部８からの制御信号に基づいて、ハードディスク３ａに記録されている情報を検出し、検出信号を生成し、出力インターフェース部６へ出力する。
【００２４】
これにより、出力インターフェース部６は、マイコン部８からの制御信号に基づいて、予め設定されている出力インターフェース処理を施し、音声出力信号Ｓｓｏおよび映像出力信号Ｓｖｏを生成して図示しないディスプレイ又はスピーカ等に出力する。これにより、ハードディスク３ａに記録されていた情報としての画像又は音声等が再生されることとなる。
【００２５】
最後に、ＤＶＤ４ａに記録されている情報を再生して出力する場合の全体動作について説明する。
【００２６】
ＤＶＤ４ａに記録されている情報を再生して出力する場合には、始めに、ＤＶＤドライブ装置４内の図示しない再生部が、マイコン部８からの制御信号に基づいて、ＤＶＤ４ａに記録されている情報を検出し、検出信号を生成し、出力インターフェース部６は、上述したハードディスク３ａに記録されている情報を再生して出力する場合と同様に出力インターフェース処理を検出信号に対して施し、同様に音声出力信号Ｓｓｏおよび映像出力信号Ｓｖｏを生成して図示しないディスプレイ又はスピーカ等に出力する。これにより、ＤＶＤ４ａに記録されていた情報としての画像又は音声等が再生されることとなる。
【００２７】
ここで、上述してきた全体動作を制御するための操作は、リモコン部５又はボタン操作部等よりなる入力部７において実行され、当該入力部７又はリモコンインターフェース部１３からは当該操作に対応する操作信号がマイコン部８に出力される。
【００２８】
そして、マイコン部８は、当該操作信号に基づいて、実行された操作に対応する動作が実行されるように情報記録再生装置Ｒの構成部材を制御するための上記制御信号を生成して各構成部材に出力する。また、当該マイコン部８の処理に必要な情報はメモリ部９に出力されて一時的に記憶された後に、必要に応じて再度メモリ部９から読み出され、マイコン部９における処理に供される。
【００２９】
なお、ハードディスク３ａからＤＶＤ４ａへ情報を転送するときは、上記制御信号に基づいて、ＨＤドライブ装置３からＤＶＤドライブ装置４へ出力される。また、同様にＤＶＤ４ａからハードディスク３ａへ情報を転送するときは、上記制御信号に基づいて、ＤＶＤドライブ装置４からＨＤドライブ装置３へ出力される。
【００３０】
（II）本願の第1の実施形態
次に、実施形態に係る情報の再生状態表示処理について、図２を用いて説明する。なお、図２は実施形態に係る記録処理の全体を示すフローチャートである。
【００３１】
また、以下の実施形態は、放送されている番組を受信し、これをハードディスク３ａに一時的に記録している間に、ＤＶＤ４ａに記録されている情報を再生すると共に、再生状態をＦＬディスプレイ部１４に表示をする場合の実施形態である。
【００３２】
図２に示すように、ステップＳ１において、ＤＶＤ４ａに記録されている情報を再生するときは（ステップＳ１；ＹＥＳ）、始めに、入力部７または、リモコン部５において再生を希望するスイッチが選択される。リモコン部５において選択されたスイッチの情報は、リモコンインターフェース部１３を介してマイコン部８に入力される。また、入力部７において選択されたスイッチの情報は、マイコン部８に入力される。入力部７または、リモコン部５において再生を希望するスイッチが選択されない場合には、（ステップＳ１；ＮＯ）、引き続き、入力部７または、リモコン部５において再生を希望するスイッチの選択を検出する状態になる。
【００３３】
ステップＳ２において、ＤＶＤ４ａに記録されている情報を再生するときは、ＦＬディスプレイ部１４に表示される再生状態表示を使用者にとってより見易くするために、マイコン部８の制御によって、ＦＬディスプレイ部１４の表示輝度が上げられる（ステップＳ２）。ＦＬディスプレイ部１４に表示される再生状態には、再生情報のタイトル、再生情報の経過時間、再生情報の残り時間などが挙げられる。ＦＬディスプレイ部１４に表示される情報は、これらに限定されるわけではなく、通常のＤＶＤ記録再生装置で表示される情報や、通常のビデオテープ記録再生装置で表示される情報等を表示させることが可能である。
【００３４】
ステップＳ３において、ＤＶＤ４ａに記録されている情報を再生し始めてから、予め設定された時間が経過したか否かを判断する。これは、再生を開始した後に再生終了をせずに、使用者が再生動作を放置してしまった場合、つまり使用者が再生終了することを忘れたまま別の用事等に着手した場合に、ＦＬディスプレイ部１４の輝度を下げることを目的としている。予め設定されるべき時間は、リモコン部５および入力部７から設定することが可能である。これらの値は、メモリ部９に設定され、タイマー部１０において計時を行う。
【００３５】
ステップＳ３において一定時間経過した場合（ステップＳ３；ＹＥＳ）には、ステップＳ５に進む。また、ステップＳ３において一定時間経過していない場合（ステップＳ３；ＮＯ）には、ステップＳ４に進む。
【００３６】
ステップＳ４において、ＤＶＤ４ａに記録されている情報の再生を終了したか否かが判断される。ＤＶＤ４ａに記録されている情報の再生が終了した場合、またはリモコン部５若しくは入力部７から再生終了情報がマイコン部８に入力され、マイコン部８が再生終了を検出した場合（ステップＳ４；ＹＥＳ）には、ステップ５に進む。また、ＤＶＤ４ａに記録されている情報の再生が終了していないとき、またはリモコン部５若しくは入力部７から再生終了情報がマイコン部８に入力されていない場合には（ステップＳ４；ＮＯ）、ステップＳ３に戻る。
【００３７】
ステップＳ５において、マイコン部８からの制御によってＦＬディスプレイ部１４の輝度が下げられる。その後、ステップＳ１に進む。すなわち、ＤＶＤ４ａに記録されている情報の再生を行うまで、ＦＬディスプレイ部１４の輝度を下げた状態、または使用者にとって必要のないＦＬディスプレイ部１４の表示を行わないことによって、ＦＬディスプレイ部１４の劣化速度を減少させるのである。また、情報記録再生装置Ｒの消費電力を低減させることもできる。
【００３８】
以上の説明では、ＤＶＤ４ａに記録されている情報を再生する場合について説明したが、本実施形態は、これに限られるわけではなく、ハードディスク３ａに記録されている情報を再生する場合または、受信部２からの受信情報を直接再生する場合にも適用される。
【００３９】
以上説明したように、実施形態の情報記録再生装置Ｒにおける表示部の輝度の制御によれば、情報記録再生装置ＲのＦＬディスプレイ部１４は、再生が行われている場合にのみ、輝度が上がるので使用者が再生状況を知りたい場合に再生状況を明確に確認することが可能となる。また、ＦＬディスプレイ部１４を再生時のみ輝度を上げるので、ＦＬディスプレイ部１４の寿命をより長く維持することができるようになった。
【００４０】
さらに、情報記録再生装置ＲのＦＬディスプレイ部１４は、再生が行われている場合にのみ、輝度を上げるばかりだけではなく、再生状態のまま使用者が情報記録再生装置Ｒから離れて、再生を終了することを忘れてしまった場合にも、一定時間経過後にＦＬディスプレイ部１４の輝度を下げるので、再生表示手段の寿命をより長く維持することができるようになった。
【００４１】
（III）本願の第２の実施形態
次に、第２の実施形態に係る情報の再生状態表示処理について、図３を用いて説明する。なお、図３は第２の実施形態に係る記録処理の全体を示すフローチャートである。
【００４２】
また、以下の実施形態は、放送されている番組を受信し、これをハードディスク３ａに一時的に記録している間に、ＤＶＤ４ａに記録されている情報を再生すると共に、再生状態をＦＬディスプレイ部１４に表示をする場合の実施形態である。
【００４３】
図２に示すように、ステップＳ６において、ＤＶＤ４ａに記録されている情報を再生するときは（ステップＳ６；ＹＥＳ）、始めに、入力部７または、リモコン部５において再生を希望するスイッチが選択される。リモコン部５において選択されたスイッチの情報は、リモコンインターフェース部１３を介してマイコン部８に入力される。また、入力部７において選択されたスイッチの情報は、マイコン部８に入力される。入力部７または、リモコン部５において再生を希望するスイッチが選択されない場合には、（ステップＳ６；ＮＯ）、引き続き、入力部７または、リモコン部５において再生を希望するスイッチの選択を検出する状態になる。
【００４４】
ステップＳ７において、ＤＶＤ４ａに記録されている情報を再生するときは、ＦＬディスプレイ部１４に表示されるＤＶＤドライブ装置４の再生状態表示を使用者にとってより見易くするために、マイコン部８の制御により、ＦＬディスプレイ部１４の表示輝度が上げられる。ＦＬディスプレイ部１４に表示されるＤＶＤドライブ装置４の再生状態には、再生情報のタイトル、再生情報の経過時間、再生情報の残り時間などが挙げられる。ＦＬディスプレイ部１４に表示される情報は、これらに限定されるわけではなく、通常のＤＶＤ記録再生装置で表示される情報や、通常のビデオテープ記録再生装置で表示される情報等を表示させることが可能である。
【００４５】
ステップＳ８において、ＤＶＤ４ａに記録されている情報の再生を終了するかが判断される。入力部７または、リモコン部５において再生を終了するスイッチが選択されかをマイコン部８が検出する。これは、再生を終了した後には、ＦＬディスプレイ部１４には表示される情報がなくなるので、ＦＬディスプレイ部１４の輝度を下げるか否かが判断されるのである。
【００４６】
ステップＳ８において再生を終了した場合（ステップＳ８；ＹＥＳ）には、ステップＳ１１に進み、ＦＬディスプレイ部１４の輝度を下げる。また、ステップＳ８において再生を終了しない場合（ステップＳ８；ＮＯ）には、ステップＳ９に進む。
【００４７】
ステップＳ９では、ＤＶＤ４ａに記録されている情報の再生を一次停止したか否かが判断される。これは、再生を開始した後に再生終了をせずに、使用者が再生動作を放置してしまった場合、つまり使用者が再生終了することを忘れたまま別の用事に着手した場合に、ＦＬディスプレイ部１４の輝度を下げることを目的としている。別の用事とは、訪問者に一次的に対応すること専念しなければならない場合や、電話がかかってきてその対応に専念しなければならない場合などがある。
【００４８】
リモコン部５若しくは入力部７から再生一次停止情報がマイコン部８に入力され、マイコン部８が一次停止を検出した場合には（ステップＳ９；ＹＥＳ）、ステップ１０に進む。また、ＤＶＤ４ａに記録されている情報の再生を一次停止していないとき、リモコン部５または入力部７から再生一次停止情報がマイコン部８に入力されない場合には（ステップＳ９；ＮＯ）、ステップＳ８に戻り、リモコン部５または入力部７から再生終了情報がマイコン部８に入力されたかを再び検出する。
【００４９】
ステップＳ１０において、ＤＶＤ４ａに記録されている情報の再生を一次停止してから、予め設定された時間が経過したか否かが判断される。これは、再生を一旦停止した後に再生終了をせずに、使用者が再生動作を放置してしまった場合、つまり使用者が再生を一旦停止したままの状態で、再生終了することを忘れたまま別の用事に着手した場合に、ＦＬディスプレイ部１４の輝度を下げることを目的としている。使用者が別の用事に着手してしまった場合には、もはやＦＬディスプレイ部１４に再生状態を表示している必要がないからである。予め設定されるべき一定時間は、リモコン部５および入力部７から設定することが可能である。これらの値は、メモリ部９に設定され、タイマー部１０において計時を行う。
【００５０】
ステップＳ１０において、一定時間経過した場合（ステップＳ１０；ＹＥＳ）には、ステップＳ１１に進み、ＦＬディスプレイ部１４の輝度を下げる。また、ステップＳ１０において一定時間経過していない場合（ステップＳ１０；ＮＯ）には、ステップＳ８に進み、リモコン部５または入力部７から再生終了情報がマイコン部８に入力されたかを再び検出する。
【００５１】
ステップＳ１１において、マイコン部８からの制御によってＦＬディスプレイ部１４の輝度が下げられる。その後、ステップＳ６に進む。すなわち、ＤＶＤ４ａに記録されている情報の再生を行うまで、ＦＬディスプレイ部１４の輝度を下げた状態にするのである。このようにすることにより、ＤＶＤドライブ装置４の再生を行わない場合には、ＦＬディスプレイ部１４の表示輝度を下げ、使用者にとって必要のないＦＬディスプレイ部１４の表示を行わないことによってＦＬディスプレイ部１４の劣化速度を減少させることができる。また、情報記録再生装置Ｒの消費電力を低減することもできる。
【００５２】
以上説明したように、実施形態の情報記録再生装置Ｒにおける表示部の輝度の制御によれば、情報記録再生装置ＲのＦＬディスプレイ部１４は、再生が行われている場合にのみ、輝度が上がるので使用者が再生状況を知りたい場合に再生状況を明確に確認することが可能となる。また、ＦＬディスプレイ部１４を再生時のみ輝度を上げるので、ＦＬディスプレイ部１４の寿命をより長く維持することができるようになった。
【００５３】
さらに、情報記録再生装置ＲのＦＬディスプレイ部１４は、再生が行われている場合にのみ、輝度を上げるばかりだけではなく、再生状態のまま使用者が情報記録再生装置Ｒから離れて、再生を終了することを忘れてしまった場合にも、一定時間経過後にＦＬディスプレイ部１４の輝度を下げるので、ＦＬディスプレイ部１４の寿命をより長く維持することができるようになった。
【００５４】
（IV）本願の第３の実施形態
次に、第３の実施形態に係る情報の再生状態表示処理について、図４を用いて説明する。なお、図４は第３の実施形態に係る記録処理の全体を示すフローチャートである。
【００５５】
また、以下の実施形態は、放送されている番組を受信し、これをハードディスク３ａに一時的に記録している間に、ＤＶＤ４ａに記録されている情報を再生すると共に、再生状態をＦＬディスプレイ部１４に表示をする場合の実施形態である。
【００５６】
図４に示すように、ステップＳ１２において、タイマー部１０において計時を行い、予め設定されていた時刻になったか否かが判断される。予め定められた時刻になった場合（ステップＳ１２；ＹＥＳ）には、ステップ１３に進み、、ＦＬディスプレイ部１４の表示輝度が上げられる。また、予め定められた所定時刻になっていない場合（ステップＳ１２；ＮＯ）には、予め定められた所定時刻になるまでステップＳ１２を繰り返す。
【００５７】
この所定時刻の設定は、入力部７または、リモコン部５からの指示によってメモリ部９に設定される。また、この所定時刻は、地域によって異なる標準時間帯に合わせて設定することができる。所定時刻や標準時間帯の設定は使用者が行えるだけではなく、本願に係わる情報記録再生装置Ｒを出荷する際に工場において設定される。この所定時刻は、使用者が、本願に係わる情報記録再生装置Ｒを操作する時間に設定したり、情報記録再生装置Ｒが設置されている地域の日没の時間に設定することができる。
【００５８】
ステップ１４において、他の予め設定されていた所定時刻になったか否かが判断される。予め定められた他の所定時刻になった場合（ステップＳ１２；ＹＥＳ）には、ステップ１５に進み、ＦＬディスプレイ部１４の表示輝度が下げられる。また、予め定められた他の所定時刻になっていない場合（ステップＳ１２；ＮＯ）には、予め定められた所定時刻になるまでステップＳ１４を繰り返す。
【００５９】
この他の所定時刻の設定は、入力部７または、リモコン部５からの指示によってタイマー部１０に設定される。また、この他の所定時刻は、地域によって異なる標準時間帯に合わせて設定することができる。他の所定時刻や標準時間帯の設定は使用者が行えるだけではなく、本願に係わる情報記録再生装置Ｒを出荷する際に工場において設定される。この他の所定時刻は、使用者が、本願に係わる情報記録再生装置Ｒの操作を終了する時間に設定したり、情報記録再生装置Ｒが設置されている地域の夜明けの時間に設定することができる。
【００６０】
以上説明したように、ＤＶＤドライブ装置４の再生を行わない場合には、ＦＬディスプレイ部１４の表示輝度を下げ、使用者にとって必要のないＦＬディスプレイ部１４の表示を行わないことによってＦＬディスプレイ部１４の劣化速度を減少させるのである。また、情報記録再生装置Ｒの消費電力を低減させることもできる。
【００６１】
また、情報記録再生装置ＲのＦＬディスプレイ部１４は、所定の時間、例えば起床時間にＦＬディスプレイ部１４の輝度を上げ、他の所定時間、例えば自宅から仕事に向かう時間にＦＬディスプレイ部１４の輝度を下げるので、ＦＬディスプレイ部１４の寿命をより長く維持することができるようになった。
【００６２】
さらに、実施形態の情報記録再生装置Ｒにおける表示部の輝度の制御によれば、情報記録再生装置ＲのＦＬディスプレイ部１４は、再生が行われている場合に、輝度が上げられるので使用者が再生状況を知りたい場合に再生状況を明確に確認することが可能となる。また、ＦＬディスプレイ部１４を再生時に輝度が上げられるので、ＦＬディスプレイ部１４の寿命をより長く維持することができるようになった。
【００６３】
これまで説明してきた本実施形態では、ＤＶＤドライブ装置４の再生を行う場合に、ＦＬディスプレイ部１４の表示輝度を上げることを説明したが、ＦＬディスプレイ部１４の表示輝度を上げるのは、ＤＶＤドライブ装置４を再生する場合に限られない。たとえば、ＨＤドライブ装置３を再生する場合にも、ＦＬディスプレイ部１４の表示輝度が上げられる。この場合、ＨＤドライブ措置３は、アンテナから入力され、入力インターフェース部１を介した信号であるＳｄｉ信号を、ハードディスク３ａに記録しながら、リモコン部５若しくは入力部７からの再生開始信号に基づいて、ハードディスク３ａから情報を再生することになる。この再生状態を表示輝度が上げられたＦＬディスプレイ部１４に表示するのである。
【００６４】
また、情報記録再生装置Ｒに接続される装置として、ＣＤ（Compact Disc）−Ｒ(Recordable)ドライブ、ＣＤ−ＲＷ(Rewritable)ドライブ、ＣＤ−ＲＯＭ(Read Only Memory)等のCDドライブや、ＭＰ３（MPEG-1 Audio Layer3）を記録または再生するCDドライブなども含まれる。これらの装置は、マイコン部８と直接接続することも可能であるが、USBインターフェース部１１や電話回線インターフェース部１２を介して接続することも可能である。また、これらの装置に使用される記録媒体をＤＶＤドライブ装置４で再生する場合にも本願に係わる実施形態に適用することができる。
【００６５】
更には、本願は、情報記録再生装置Ｒ内の備えられる二つの記録媒体が共にハードディスク３ａ又はＤＶＤ４ａである場合であって、相互に番組を転送する場合に適用することも可能である。
【００６６】
その他、記録媒体の少なくとも一つが半導体メモリや磁気メモリにも適応することが可能である。すなわち、本願は記録媒体の形態には左右されず、あらる記録媒体に適応が可能であることは言うまでもない。
【００６７】
なお、図２乃至図３に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係るマイコン部２として用いることも可能である。
【００６８】
さらに、本実施形態において表示部としてＦＬを使用した場合について説明したが、ＦＬに限られるわけではない。たとえば、ブルーＬＥＤ(Light Emission Diode)またはＥＬ（ElectroLuminescent）を使用した表示部、ＬＣＤ（Liquid Crystal Display）などの表示部を使用した場合に本願を適用することができ、表示部の種類が限定されるわけではない。
【図面の簡単な説明】
【００６９】
【図１】実施形態の情報記録再生装置の概要構成を示すブロック図である。
【図２】第1実施形態の動作の全体を示すフローチャートである。
【図３】第２実施形態の動作の全体を示すフローチャートである。
【図４】第３実施形態の動作の全体を示すフローチャートである。
【符号の説明】
【００７０】
１…入力インターフェース部
２…受信部
３…ＨＤドライブ装置
３ａ…ハードディスク
４…ＤＶＤドライブ装置
４ａ…ＤＶＤ
５…リモコン部
６…出力インターフェース部
７…入力部
８…マイコン部
９…メモリ部
１３…リモコンインターフェース部
１４…ＦＬディスプレイ部
Ｒ…情報記録再生装置
【図１】
2005109953.tif 000003
【図２】
2005109953.tif 000004
【図３】
2005109953.tif 000005
【図４】
2005109953.tif 000006